(57)【要約】【課題】両面読み取り手段で読み取った画像を出力する際、簡単な原稿読み取り（搬送）操作で、前記画像と基準原稿との間で画質の差異が生じないようにする。【解決手段】プリンタによって片面に前記基準となる画像が印刷された基準画像用紙を両面読み取り自動原稿搬送装置Ａ２から通紙して、ＣＣＤ２０７によって読み取り、排紙された基準画像用紙をそのまま原稿反転手段によって反転させて、ＣＩＳ２５２で読み取り、ＣＣＤ２０７及びＣＩＳ２５２で読み読み取った画像の画質特性と、基準となる画像の画質特性との差分を取り、ＣＣＤ２０７及びＣＩＳ２５２で読み読み取った画像と基準画像との間で画質に差がでないようにプリンタで印刷する画像の画質を補正する。【選択図】図２
2010074274.tif 000002
【特許請求の範囲】
【請求項１】
原稿の片面ずつ１度の通紙動作で読み取る第１及び第２の読み取り素子を含む両面読み取り手段、及び原稿を反転させて両面原稿の表裏を前記両面読み取り手段に読み取らせる原稿反転手段を有する両面読み取り自動原稿搬送装置と、
読み取った原稿画像の画像データを画像処理したデータに基づいて指定された用紙に印刷する印刷手段と、
備えた画像形成装置において、
前記印刷手段によって片面に前記基準となる画像が印刷された基準画像用紙を前記両面読み取り自動原稿搬送装置から通紙して、前記第１の読み取り素子によって読み取り、排紙された前記基準画像用紙をそのまま前記原稿反転手段によって反転させて、前記第２の読み取り素子によって読み取る手段と、
前記第１及び第２の読み取り素子によって読み取った画像の画質特性と、前記基準となる画像の画質特性との差分を取り、前記第１及び第２の読み取り素子で読み取った画像の画質に差がでないように前記印刷手段によって印刷する画像の画質を補正する手段と、
を備えていることを特徴とする画像形成装置。
【請求項２】
請求項１記載の画像形成装置において、
前記両面読み取り自動原稿搬送装置の原稿反転手段を使用して前記画像の画質を補正するか否かをユーザが設定する手段を備えていることを特徴とする画像形成装置。
【請求項３】
請求項１又は２記載の画像形成装置において、
前記第１及び第２の読み取り素子の一方が読み取り不可の場合、読み取り可能な読み取り素子のみによって前記読み取り手段による読み取りを行い、
前記画質を補正する手段は、前記読み取り素子によって読み取られた画像に対して画質を補正することを特徴とする画像形成装置。
【請求項４】
原稿の片面ずつ１度の通紙動作で読み取る第１及び第２の読み取り素子を含む両面読み取り手段、及び原稿を反転させて両面原稿の表裏を前記両面読み取り手段に読み取らせる原稿反転手段を有する両面読み取り自動原稿搬送装置と、
読み取った原稿画像の画像データを画像処理したデータに基づいて指定された用紙に印刷する印刷手段と、
備え、画像形成時に画質を補正する画質補正方法において、
前記印刷手段によって片面に前記基準となる画像が印刷された基準画像用紙を前記両面読み取り自動原稿搬送装置から通紙して、前記第１の読み取り素子によって読み取り、排紙された前記基準画像用紙をそのまま前記原稿反転手段によって反転させて、前記第２の読み取り素子によって読み取る第１の工程と、
前記第１の工程で前記第１及び第２の読み取り素子によって読み取った画像の画質特性と、前記基準となる画像の画質特性との差分を取り、前記第１及び第２の読み取り素子で読み取った画像の画質に差がでないように前記印刷手段によって印刷する画像の画質を補正する第２の工程と、
を備えていることを特徴とする画質補正方法。
【請求項５】
原稿の片面ずつ１度の通紙動作で読み取る第１及び第２の読み取り素子を含む両面読み取り手段、及び原稿を反転させて両面原稿の表裏を前記両面読み取り手段に読み取らせる原稿反転手段を有する両面読み取り自動原稿搬送装置と、
読み取った原稿画像の画像データを画像処理したデータに基づいて指定された用紙に印刷する印刷手段と、
備え、画像形成時に画質を補正する画質補正制御をコンピュータによって実行するためのコンピュータプログラムにおいて、
前記印刷手段によって片面に前記基準となる画像が印刷された基準画像用紙を前記両面読み取り自動原稿搬送装置から通紙して、前記第１の読み取り素子によって読み取り、排紙された前記基準画像用紙をそのまま前記原稿反転手段によって反転させて、前記第２の読み取り素子によって読み取る第１の手順と、
前記第１の手順で前記第１及び第２の読み取り素子によって読み取った画像の画質特性と、前記基準となる画像の画質特性との差分を取り、前記第１及び第２の読み取り素子で読み取った画像の画質に差がでないように前記印刷手段によって印刷する画像の画質を補正する第２の手順と、
を備えていることを特徴とするコンピュータプログラム。
【発明の詳細な説明】
【技術分野】
【０００１】
本発明は、両面同時読み取り機能、及び、両面印刷可能な印刷装置を備えた画像形成装置、この画像形成装置で行われる画質補正方法、及びこの画質補正方法をコンピュータで実行するためのコンピュータプログラムに関する。
【背景技術】
【０００２】
この種の技術として例えば特許文献１又は２に記載された発明が公知である。このうち、特許文献１には、ＡＤＦの搬送路に裏面用ＣＩＳ（密着型イメージセンサ）と表面用ＣＩＳを設け、１パスで両面を読み取り、裏面をＣＩＳ、表面を読取窓で縮小光学系を用い、ＣＣＤで読む従来方式で発生する表裏の画質差を無くすこと、また、ＣＩＳ読取に加え、ＡＤＦに原稿反転機構を設け、縮小光学系を用いるシートスルーＡＤＦ読取の２方式で両面読取を可能にすること、低解像度、低階調の読取を１パスで行い、読み取り及び処理が高速なＣＩＳ読取と縮小光学系を用い高画質で読取るが、２パス読取となり低速なシートスルーＡＤＦ読取のどちらを実行動作モードとするかを選択するモード設定を可能とすること、が記載されている。
【０００３】
また、特許文献２には、２つのイメージセンサによって原稿の両面画像データを一つの動作で読み取る画像処理装置に、所定の基準画像データに基づいて一方のイメージセンサにより読み取られた画像データの画質補正を行い、この補正画像データに基づいて他方のイメージセンサにより読み取られた画像データの画質補正を行うことにより、表裏面の読取画像データ間に生じる画質差だけでなく、原稿画像データとの画質差も低減することが記載されている。
【特許文献１】特開２００７−８２０３３号公報
【特許文献２】特開２００５−２０２２４号公報
【発明の開示】
【発明が解決しようとする課題】
【０００４】
特許文献１記載の発明では、新たにＣＩＳデバイスを追加することにより、両面同時読み取り時の画質差を吸収するか、又はユーザの希望により、画質を選択させて生産性と高画質のトレードオフを実現しているが、デバイスの故障時の対応や、画質の補正方法についてはあくまで読み取りデバイスを揃えることでの調整となっている。
【０００５】
また、特許文献２記載の発明では、基準となる画像を第１の読み取り手段によって読み取り、それによって画質を補正したものに対して、第２の読み取り手段によって読み取られた画像の画質を調整することで、表裏の画像を合わせ、また、この画像は基準画像を元にしたものなので原稿画像の再現性を高めている。
【０００６】
しかしながら、特許文献２記載の方法によると、第１の画像読み取り手段が利用可能な状態であることを想定しており、この基準となる方の読み取り手段が、経年劣化、故障等で利用不可となった場合には第２の読み取り手段のみでは実施できないことになる。また、第１の画像読み取り手段の故障等の判断はユーザの判断がつきかねることが多いことが想定される。
【０００７】
いずれにしても、２つの読み取り手段で読み取った画像の画質を調整する必要があり、一方が使用不能であったり、特性が劣化している場合には、２つの読み取り手段で読み取った画像の画質を揃えることは難しい。
【０００８】
そこで、本発明が解決しようとする課題は、両面読み取り手段で読み取った画像を出力する際、簡単な原稿読み取り操作で、前記画像と基準原稿との間で画質の差異が生じないようにすることにある。
【課題を解決するための手段】
【０００９】
前記課題を解決するため、第１の手段は、原稿の片面ずつ１度の通紙動作で読み取る第１及び第２の読み取り素子を含む両面読み取り手段、及び原稿を反転させて両面原稿の表裏を前記両面読み取り手段に読み取らせる原稿反転手段を有する両面読み取り自動原稿搬送装置と、読み取った原稿画像の画像データを画像処理したデータに基づいて指定された用紙に印刷する印刷手段と、備えた画像形成装置において、前記印刷手段によって片面に前記基準となる画像が印刷された基準画像用紙を前記両面読み取り自動原稿搬送装置から通紙して、前記第１の読み取り素子によって読み取り、排紙された前記基準画像用紙をそのまま前記原稿反転手段によって反転させて、前記第２の読み取り素子によって読み取る手段と、前記第１及び第２の読み取り素子によって読み取った画像の画質特性と、前記基準となる画像の画質特性との差分を取り、前記第１及び第２の読み取り素子で読み取った画像の画質に差がでないように前記印刷手段によって印刷する画像の画質を補正する手段と、を備えていることを特徴とする。
【００１０】
第２の手段は、第１の手段において、前記両面読み取り自動原稿搬送装置の原稿反転手段を使用して前記画像の画質を補正するか否かをユーザが設定する手段を備えていることを特徴とする。
【００１１】
第３の手段は、第１又は第２の手段において、前記第１及び第２の読み取り素子の一方が読み取り不可の場合、読み取り可能な読み取り素子のみによって前記読み取り手段による読み取りを行い、前記画質を補正する手段は、前記読み取り素子によって読み取られた画像に対して画質を補正することを特徴とする。
【００１２】
第４の手段は、原稿の片面ずつ１度の通紙動作で読み取る第１及び第２の読み取り素子を含む両面読み取り手段、及び原稿を反転させて両面原稿の表裏を前記両面読み取り手段に読み取らせる原稿反転手段を有する両面読み取り自動原稿搬送装置と、読み取った原稿画像の画像データを画像処理したデータに基づいて指定された用紙に印刷する印刷手段と、備え、画像形成時に画質を補正する画質補正方法において、前記印刷手段によって片面に前記基準となる画像が印刷された基準画像用紙を前記両面読み取り自動原稿搬送装置から通紙して、前記第１の読み取り素子によって読み取り、排紙された前記基準画像用紙をそのまま前記原稿反転手段によって反転させて、前記第２の読み取り素子によって読み取る第１の工程と、前記第１の工程で前記第１及び第２の読み取り素子によって読み取った画像の画質特性と、前記基準となる画像の画質特性との差分を取り、前記第１及び第２の読み取り素子で読み取った画像の画質に差がでないように前記印刷手段によって印刷する画像の画質を補正する第２の工程と、を備えていることを特徴とする。
【００１３】
第５の手段は、原稿の片面ずつ１度の通紙動作で読み取る第１及び第２の読み取り素子を含む両面読み取り手段、及び原稿を反転させて両面原稿の表裏を前記両面読み取り手段に読み取らせる原稿反転手段を有する両面読み取り自動原稿搬送装置と、読み取った原稿画像の画像データを画像処理したデータに基づいて指定された用紙に印刷する印刷手段と、
備え、画像形成時に画質を補正する画質補正制御をコンピュータによって実行するためのコンピュータプログラムにおいて、前記印刷手段によって片面に前記基準となる画像が印刷された基準画像用紙を前記両面読み取り自動原稿搬送装置から通紙して、前記第１の読み取り素子によって読み取り、排紙された前記基準画像用紙をそのまま前記原稿反転手段によって反転させて、前記第２の読み取り素子によって読み取る第１の手順と、前記第１の手順で前記第１及び第２の読み取り素子によって読み取った画像の画質特性と、前記基準となる画像の画質特性との差分を取り、前記第１及び第２の読み取り素子で読み取った画像の画質に差がでないように前記印刷手段によって印刷する画像の画質を補正する第２の手順と、を備えていることを特徴とする。
【００１４】
なお、後述の実施形態では、第１及び第２の読み取り素子はＣＣＤ２０７及びＣＩＳ２５２に、両面読み取り手段はスキャナ１０及びＡＤＦ３０に、原稿反転手段はＡＤＦ３０に、両面読み取り自動原稿搬送装置は符号Ａ２に、印刷手段はプリンタ１００に、補正する手段は制御回路ＣＯＮに、画像形成装置はフルカラー複写機Ａ１に、それぞれ対応する。
【発明の効果】
【００１５】
本発明によれば第１及び第２の読み取り素子で読み取った画像の画質に差がでないように前記印刷手段によって印刷する画像の画質を補正するので両面読み取り手段で読み取った画像を出力する際、簡単な原稿読み取り操作で、前記画像と基準原稿との間で画質の差異が生じないようにすることができる。
【発明を実施するための最良の形態】
【００１６】
以下、本発明の実施形態について図面を参照して説明する。
【００１７】
図１は、本発明の一実施形態に係るフルカラー複写機Ａ１の全体的な構成を示す正面図である。図１において、フルカラー複写機Ａ１は、大略、自動原稿送り装置（ＡＤＦ）３０、カラースキャナ１０、カラープリンタ１００、及び給紙バンク４０を備え、カラースキャナ１０配設部の前面に操作ボード２０が設けられている。カラープリンタ１００は拡張性があり、印刷された原稿の後処理をする後処理機を接続できる。またカラープリンタ１００でプリント済の用紙は、排紙トレイ１０８上に排出される。
【００１８】
図２は、スキャナ１０及びスキャナ１０に装着されたＡＤＦ３０からなる両面読み取り原稿画像読み取り装置Ａ２を示す図である。図２において、スキャナ１０のコンタクトガラス２３１上に置かれた原稿は、照明ランプ２３２により照明され、原稿の反射光（画像光）が第１ミラー２３３で副走査方向ｙと平行に反射される。照明ランプ２３２及び第１ミラー２３３は、副走査方向ｙに定速駆動される第１キャリッジに搭載されている。第１キャリッジと同方向に第１キャリッジの１／２の速度で駆動される第２キャリッジには、第２及び第３ミラー２３４，２３５が搭載されており、第１ミラー２３３が反射した画像光は第２ミラー２３４で下方向（ｚ方向）に反射され、第３ミラー２３５で副走査方向（ｙ方向）に反射されて、レンズ２３６により結像され、ＣＣＤ２０７の結像面に照射されて電気信号に変換される。この読み取り方式は、コンタクトガラス上に手置きした原稿の読み取り方式で、所謂、フラットベッド方式の読み取りである。
【００１９】
第１及び第２キャリッジは、走行体モータ２３８を駆動源として、ｙ方向に往復駆動される。この場合、往動時が原稿走査であり、復同時がリターン動作である。ＣＣＤ２０７は、多数の光電変換素子が主走査方向に並んだ光電変換素子アレイを持ち、該アレイの画像読み取り信号を主走査ライン区分で繰り返し出力する撮像素子である。
【００２０】
スキャナ１０の上部には、自動原稿供給装置ＡＤＦ３０が装着されている。ＡＤＦ３０の原稿トレイ２４１に積載された原稿は、ピックアップローラ２４２及びレジストローラ対２４３で搬送ドラム２４４と押さえローラ２４５の間に送り込まれ、搬送ドラム２４４に密着した状態で読み取りガラス２４０の上を通過し、排紙ローラ２４６，２４７で、２５７の排紙パスを通り、原稿トレイ２４１の下方の圧板兼用の排紙トレイ２４８上に排出される。原稿は、読み取りガラス２４０を通過する際に、その直下に位置決めされて静止している照明ランプ２３２により照射され、原稿の反射光は、第１ミラー２３３以下の光学系を介してＣＣＤ２０７に照射され光電変換される。この読み取り方式は、シートフィード方式あるいはシートスルー方式とも称される。
【００２１】
読み取りガラス２４０と原稿始端の位置決め用のスケール２５１との間には、白基準板２３９、ならびに、第１キャリッジを検出する基点センサ２４９がある。白基準板２３９は、照明ランプ２３２の個々の発光強度のばらつき、また主走査方向のばらつき、ＣＣＤ２０７の画素毎の感度ムラ等が原因で、一様な濃度の原稿を読み取ったにもかかわらず、読み取りデータがばらつく現象を補正する所謂シェーディング補正を行うために用意されている。このシェーディング補正は、まず、白基準板２３９を原稿スキャン前に主走査方向１ライン分読み取り、この読み取った白基準データをメモリに記憶し、原稿画像を読み取るときは、原稿をスキャンした画素毎に、画像データを前記メモリ上の対応する白基準データで割り算するものである。
【００２２】
さらに、ＡＤＦ３０は１パスで両面の表裏面を同時に読み取るために、密着型イメージセンサ（ＣＩＳ）方式の読み取りデバイス２５２を第１面のパスの途中に備え、前記のＣＣＤ２０７で表面、ＣＩＳで裏面を読み取るような機構であり、さらに、原稿を反転するための反転経路２５３、反転ローラ２５４、反転分岐爪２５５を同時に備えている。これらが反転機構に相当する。反転ローラ２５４と反転経路２５３で反転された原稿は、反転パス２５６を経て再度２４４の搬送ドラムに達し、第１面と同様のパスを通るようになっている。
【００２３】
さらに、本実施形態におけるカラー複写機は、備え付けられた読み取り装置の画質を補正するための演算手段を後述の不揮発メモリ１１３に備えており、画質調整を行う際には前記不揮発手段に保存された演算手段に基づいて画質を補正する。
【００２４】
なお、画質の調整技術は、前記特許文献２に開示されているように周知の技術なので、ここでは、画質調整自体の説明は省略する。なお、特許文献２にも記載されているように原稿画像データが持つ画質と略同質の画像データを生成するためには、画質の特性に関する全ての特性パラメータに基づき画質の補正を行うことが必要であるが、画質に影響を与える要素には、例えば、インク、トナーあるいはフィルムの特性、用紙メディアの特性、文書タイプ（写真、イラスト、グラフィックス、テキスト）の特性、カラー形式による特性の他、グレーバランス、明度、コントラスト、彩度、色み特性、ガンマ特性、レンズ特性（特に色収差）、ＭＴＦ（振幅伝達関数）特性等のように多数存在し、これらの要素全ての特性をパラメータとして用いて補正していたのでは画像処理に多大な時間を要する。そこで、最も画質に影響を与える色み特性、ガンマ特性、次いで画質に影響を与えるＭＴＦ特性、色収差特性のパラメータを補正パラメータとして用い、これらの補正パラメータに基づいて画質を補正することが望ましい。
【００２５】
以上が本発明を実施するための実施形態としてのカラー複写機の構成となる。
【００２６】
次いで、フルカラー複写機Ａ１のカラープリンタより出力された基準画質を前記両面読み取り可能なＡＤＦ３０に通し、画質を調整する機能について説明する。
【００２７】
図３は図１に示した操作ボード２０の操作パネルの状態を示す図、図４は図１に示したフルカラー複写機Ａ１の制御構成の概略を示すブロック図、図５は画質調整の処理手順を示すフローチャートである。
【００２８】
操作ボード２０には、ボード上に操作パネル３０１、ハードキー群、開始ボタン３０２、及び警告ランプ３０３が設けられている。ハードキー群はテンキー３０４、クリアボタン３０５、及びリセットボタン３０６を含む。操作パネル３０１は液晶操作表示パネルからなり、図３の例では、メニュー表示として、画質調整ボタン３０１ａ、設定ボタン３０１ｂ、編集ボタン３０１ｃが図示されている。
【００２９】
図４において、ＡＤＦ３０、スキャナ１０、作像ユニット１０１、定着ユニット１０２、書き込みユニット１０３、給紙バンク４０、及びモータ１０４の制御を制御回路ＣＯＮが司り、また、操作ボード２０、画像処理部１１１、画像メモリ１１２、不揮発メモリ１１３、各種センサ１１４がそれぞれ制御回路ＣＯＮに接続されている。
【００３０】
制御回路ＣＯＮは、操作ボード２０からの指示入力によりユーザが所望する制御を実行し、スキャナ１０のＣＣＤ２０７、及びＡＤＦ３０側に設けられたＣＩＳ２５２で読み取った画像データを一旦画像メモリ１１２に格納した上で、所定のあるいはユーザが所望する画像処理を画像処理部１１１で実行する。画像処理部１１１で処理された画像データは書き込みユニット１０３に出力され、作像ユニット１０１で作像され、顕像化される。顕像化された画像は、給紙バンク４０から給紙された用紙に転写され、定着ユニット１０２で定着された後、排紙され、あるいは図示しない反転ユニット側に搬出される。
【００３１】
これらの制御は、不揮発メモリ（ＲＯＭ）１１３に格納された制御プログラムを、制御回路ＣＯＮに搭載されたＣＰＵがＲＯＭから読み出し、図示しないＲＡＭに展開し、当該ＲＡＭをワークエリアとして使用しながら前記プログラムを実行することにより行われる。なお、後述のフローチャートに示された制御手順も前記ＣＰＵによって実行される。また、画質の補正は前述のように前記演算手段によって実行される。
【００３２】
以下、調整手順について説明する。  
手順１：画質調整を行う際には、ユーザ又は初期設定者は、操作パネル３０１の画質調整ボタン３０１ａを押下して画質調整モードに入り、画質調整の機能を実行する。従って、この実施形態では、画質調整はユーザ又は初期設定者の設定行為によって開始される。
【００３３】
手順２：画質調整のモードが指定されると、カラー複写機はカラープリンタ１００の内部で画質調整の基準となる図示しないパターン画像を出力し、排紙トレイ１０８に排紙し、操作パネル３０１上に、“パターン画像が印刷された面を上にして、本カラー複写機のＡＤＦにセットする”旨のメッセージを表示する。ただし、画質調整モードに入ることができない場合、あるいはパターン画像を出力することができない場合のように機器が調整の機能を最後まで達成できない状態である場合には警告ランプ３０３が点灯するとともに、操作パネル３０１上にも警告メッセージを表示し、調整モードには入らずに処理を終了する。
【００３４】
手順３：手順２における操作パネル３０１のメッセージによる指示に従い、ユーザが原稿のセットを終了した後に、ユーザが操作ボード２０上の開始ボタン３０２を押下することよって画質調整が開始される。
【００３５】
手順４：手順３の開始ボタン３０２の押下によって図５に示すフローチャートに従い、機器状態の把握をしながら画質の調整を開始する（ステップＳ１０１）。画質調整が開始されると、まず、機器状態が正常か否かがチェックされる（ステップＳ１０２）。ここでは、機器が正常か、どの機器が故障かということがチェックされ、このチェック状態に応じて処理が異なってくる。
【００３６】
手順５：まず、前記ＣＣＤ２０７とＣＩＳ２５２の両方が現状使用可能であり、反転機構も使用可能で、いわゆる機器に故障がなく正常と判定される。正常と判定された場合は（ステップＳ１０２−ＹＥＳ）、調整過程を操作パネル３０１に表示し（ステップＳ１０４）、以下の手順を自動実行して画質の調整、及び画質の補正を行う。
【００３７】
調整が開始されると（ステップＳ１０７）、下記の調整処理を実行し（ステップＳ１０７）、
（１）基準画像が印刷された用紙をＡＤＦの原稿トレイ２４１より給紙し、ＣＣＤ２０７で読み取る。  
（２）反転機構２５３を用いて用紙の表裏を反転し、もう一度（１）と同じパスを通過させる。  
（３）ＣＩＳ２５２に（１）と同じ基準画質を読み取らせ、原稿排紙トレイ２４８に基準画質が印刷された原稿を排紙する。  
（４）ＣＣＤ２０７とＣＩＳ２５２から読み取られた画像の画質特性と、カラープリンタ１００から印刷した基準画像の画質特性の差分を取り、ＣＣＤ２０７とＣＩＳ２５２によって読み取った画像を出力する際に基準画像の画質と差がでないように読み取った画像データの画像を出力する際に画質特性を補正する。これにより、ＣＣＤ２０７とＣＩＳ２５２で読み取った画像の画質特性が異なっていたとしても、同等の画質の出力が可能となる。
【００３８】
この調整が正常に終了すると（ステップＳ１０８）、調整終了を操作パネル３０１に表示して処理を終える。
【００３９】
手順６：一方、ステップＳ１０２で機器状態が正常でない場合、例えば、ＣＣＤ２０７、ＣＩＳ２５２、反転機構のいずれかのデバイスが経年劣化による故障等の理由で使用不可能となっている場合は以下に示す動作を行う。
【００４０】
（５）ＣＣＤ２０７が使用不可能な場合
ＣＣＤ２０７が使用不可能な場合は、ＣＩＳ２５２で読み取りが行えるため、画質調整の際には、前記調整の基準となる画像が印刷されている面を、原稿トレイに対し下向き（ユーザからは見えない向き）に置くように操作パネル３０１から指示し、調整用の原稿が置かれると読み取り動作を開始する。ただし、ＣＣＤ２０７は使用できないので、搬送パスとしてのみ利用し、ＣＩＳ２５２にのみ、基準となる画像が印刷されている原稿を読み取らせる。読み取った画像の画質特性と、基準画像の画質特性の差分を取り、前記のようにして画質特性を補正する。これにより、基準となる原稿画像と同じ画質の画像を出力することができる。
【００４１】
この場合、読み取りができる読み取りデバイスがパス上に一つしかないため、反転機構を使用して調整することはない。
【００４２】
（６）ＣＩＳ２５２が使用不可能な場合
ＣＩＳ２５２が利用不可となっている場合は、ＣＣＤ２０７で読み取りが行えるため、画質調整の際には、前記調整の基準となる画質が印刷されている面を、原稿トレイに対し上向き（ユーザから見える向き）に置くように操作パネル３０１から指示し、調整用の原稿が置かれると、読み取り動作を開始する。ただし、ＣＩＳ２５２は使用できないので、ＣＣＤ２０７にのみ、基準となる画像が印刷されている原稿を読み取らせる。読み取った画像の画質特性と、基準画像の画質特性の差分を取り、前記のようにして画質特性を補正する。これにより、基準となる原稿画像と同じ画質の画像を出力することができる。
【００４３】
この場合、（５）の場合と同様に、読み取りができる読み取りデバイスがパス上に一つしかないため、反転機構を使用して調整をすることはない。
【００４４】
（７）反転機構が使用不可能な場合
反転機構はなんらかの理由で故障して利用できないが、ＣＣＤ２０７、ＣＩＳ２５２は利用できる場合は、まず、“調整動作を２回行う”という旨を操作パネル３０１上でユーザに知らせ、次にＣＣＤ２０７で基準となる画像を読み取るための動作として、（６）の場合と同様に“調整の基準となる画質が印刷されている面を原稿トレイに対し上向きに置く”ように操作パネル３０１からユーザに促し、それが終了するとＣＩＳ２５２で基準となる画像を読み取るための動作として、（５）と同様の動作をするよう操作パネル３０１にメッセージ表示してユーザに促す。
【００４５】
これらの一連の動作が終了すると、調整動作が終了した旨を操作パネル上に表示するようにする（ステップＳ１０９）。
【００４６】
手順７：前記（５）ないし（７）で示した動作において、２つ以上のデバイスが使用不可能になった場合は、ＣＣＤ２０７が故障していないこと、又は、ＣＩＳ２５２が故障していないこと  かつ、原稿をＡＤＦに排出できること、を条件に、画質の調整を開始できるとする。調整ができない場合は調整動作は行わない。
【００４７】
ステップＳ１０１からステップＳ１０９までの動作においては、ユーザは操作パネル３０１のメッセージ表示等によりから機器状況を把握できるため、ユーザの希望の動作をさせることができる。言い換えれば、ユーザの判断で、調整の実施有無を決定することができる。
【００４８】
ユーザの希望がない場合は、機器側で図５のフローチャートに基づき最良の画質調整を行える手順で画質補正を実行し、どのような画質補正をしたかを操作パネル３０１に表示する。これまでの一連の動作において、動作の途中で万が一失敗した場合は、警告ランプ３０３とともに操作パネル上にも警告を表示し、停止の解除方法を提示する（ステップＳ１１０）。
【００４９】
カラー複写機は調整結果に応じて、読み取りデバイス（ＣＣＤ２０７、ＣＩＳ２５２）の画質の補正を行い、コピー動作などに反映させる。前述のように、機能を限定して調整された場合には、調整されたデバイスのみで実際のコピー動作を行う。
【００５０】
なお、画質の調整もしくは補正技術は、前記特許文献２に開示されているように周知の技術であり、この特許文献２にも記載されているように原稿画像データが持つ画質と略同質の画像データを生成するためには、画質の特性に関する全ての特性パラメータに基づき画質の補正を行うことが必要であるが、画質に影響を与える要素には、例えば、インク、トナーあるいはフィルムの特性、用紙メディアの特性、文書タイプ（写真、イラスト、グラフィックス、テキスト）の特性、カラー形式による特性の他、グレーバランス、明度、コントラスト、彩度、色み特性、ガンマ特性、レンズ特性（特に色収差）、ＭＴＦ（振幅伝達関数）特性等のように多数存在し、これらの要素全ての特性をパラメータとして用いて補正していたのでは画像処理に多大な時間を要する。そこで、最も画質に影響を与える色み特性、ガンマ特性、次いで画質に影響を与えるＭＴＦ特性、色収差特性のパラメータを補正パラメータとして用い、これらの補正パラメータに基づいて画質を補正することが望ましい。
【００５１】
以上のように本実施形態によれば、
（１）両面読み取り自動原稿搬送装置に備えられたＣＣＤ２０７及びＣＩＳ２５２に対して自身が出力した基準画像を、原稿を反転させて連続的に読み込ませ、読み込んだ画像の画質特性と出力された基準画像の画質特性の差分に基づいて読み取り画像の画質特性を補正するので、全ての読み取り装置において、２つの読み取りデバイスで読み取った画像の出力画像に差異のない読み取り結果が１回の読み取り動作で得られる。これにより、両面同時読み取り時の画質補正の正確性、利便性が向上する。  
（２）両面読み取り自動原稿搬送装置の反転機構を利用して画質調整するかどうかについてユーザに選択権があるので、ユーザの利用環境により、無駄な動作を省き調整の時間を短縮することができる。  
（３）反転機構が使用できなくても、通紙ができる状態であれば自動原稿搬送装置を使用することができるので、反転機構が故障などにより使用できなくても、使用した場合と同等の画質補正を行うことができる。また、表示パネルを設けているため、ユーザ操作の一助とすることができる。  
（４）ＣＣＤ２０７及びＣＩＳ２５２のうち、いずれかが故障した場合でも、使用できるデバイスを使用して画質の補正ができるようにしているので、全ての読み取り装置が故障・使用不可にならない限りは目的の画像を得ることができる。また、ユーザは故障の有無を意識しないでも機器側で判断して行うので、ユーザへの利便性を向上させることができる。
等の効果がある。  
【００５２】
なお、本発明は本実施形態に限定されるものではなく、特許請求の範囲に記載された技術思想に含まれる技術的事項の全てが対象となることは言うまでもない。
【図面の簡単な説明】
【００５３】
【図１】本発明の一実施形態に係るフルカラー複写機の全体的な構成を示す正面図である。
【図２】スキャナ及びスキャナに装着されたＡＤＦからなる両面読み取り原稿画像読み取り装置を示す図である。
【図３】図１に示した操作ボードの操作パネルの状態を示す図である。
【図４】図１に示したフルカラー複写機の制御構成の概略を示すブロック図である。
【図５】画質調整の処理手順を示すフローチャートである。
【符号の説明】
【００５４】
１０  スキャナ
３０  ＡＤＦ
１００  プリンタ
２０７  ＣＣＤ
２５２  ＣＩＳ
ＣＯＮ  制御回路
Ａ１  フルカラー複写機
Ａ２  両面読み取り自動原稿搬送装置
【図１】
2010074274.tif 000003
【図２】
2010074274.tif 000004
【図３】
2010074274.tif 000005
【図４】
2010074274.tif 000006
【図５】
2010074274.tif 000007